(57)【要約】【課題】デザイン的には通常の水着と同じで使い勝手がよく、水流抵抗が適度に高く、かつ水泳姿勢を崩さない水着を提供する。【解決手段】保水性生地部（６ａ−６ｄ）と通常生地部分（７ａ−７ｂ）を含む水着（５）であって、保水性生地は凹凸を有し、保水性生地部分（６ａ−６ｄ）は少なくとも臀部を覆う位置に配置され、通常生地部分（７ａ−７ｂ）はその他の部分に配置されている。保水性生地は二重編物又は二重織物であり、接結（ステッチ）がある部分がとない部分があり、接結（ステッチ）がある部分が凹部であり、接結（ステッチ）がない部分が凸部である。【選択図】図３
2018076624.tif 000002
【特許請求の範囲】
【請求項１】
保水性生地部分と通常生地部分を含む水着であって、
前記保水性生地は凹凸を有し、前記保水性生地部分は少なくとも臀部を覆う位置に配置され、
前記通常生地部分はその他の部分に配置されていることを特徴とする水着。
【請求項２】
保水性生地部分と通常生地部分を含む水着であって、
前記保水性生地は凹凸を有し、前記保水性生地部分は少なくとも着用者の重心を覆う位置に配置され、
前記通常生地部分はその他の部分に配置されていることを特徴とする水着。
【請求項３】
前記保水性生地は、二重編物又は二重織物であり、接結（ステッチ）がある部分がとない部分があり、前記接結（ステッチ）がある部分が凹部であり、前記接結（ステッチ）がない部分が凸部である請求項１又は２に記載の水着。
【請求項４】
前記凹凸は規則的に配置されている請求項１〜３のいずれかに記載の水着。
【請求項５】
前記水着は、保水後質量が３００〜１，０００ｇである請求項１〜４のいずれかに記載の水着。
【請求項６】
前記保水性生地は、単位面積当たりの保水後質量が１５００〜４０００ｇ／ｍ2である請求項１〜５のいずれかに記載の水着。
【請求項７】
前記通常生地は、単位面積当たりの保水後質量が５００〜９００ｇ／ｍ2である請求項１〜６のいずれかに記載の水着。
【発明の詳細な説明】
【技術分野】
【０００１】
本発明は、水泳用水着に関する。さらに好ましくはトレーニング用水着に関する。
【背景技術】
【０００２】
一般的に水着に求められる一つの機能は、競泳時に生ずる水着の水中での表面摩擦抵抗をいかに削減するかにあり、このような提案として下記特許文献１〜２がある。しかし、トレーニング用水着においては、水流抵抗を高くして身体への負荷を強くすることが求められる。従来例として、両手首から両腕と鎖骨下をつなぐ抵抗バンドを取り付けた水着が特許文献３に提案されている。さらに従来例として、バケツやパラシュートを付けて練習することも行われている。
【先行技術文献】
【特許文献】
【０００３】
【特許文献１】再公表特許ＷＯ２００７−１４２２３２号公報
【特許文献２】特開２００６−３４８３９８号公報
【特許文献３】特表２００１−５１８９９１号公報
【発明の概要】
【発明が解決しようとする課題】
【０００４】
しかし、前記特許文献３に提案されている従来の水着は、長袖に限定されており、水流抵抗も大きく、使い勝手もよくないという問題がある。また、抵抗バンドをつけた位地の筋肉のみ鍛えられるものであるため、全身の筋肉をバランスよく鍛えられるようさらなる改良が求められていた。また、バケツやパラシュートを付けた練習では、泳姿勢が崩れてしまい、良いトレーニングにはならず、使い勝手もよくないという問題もあった。
【０００５】
本発明は、前記従来の問題を解決するため、デザイン的には通常の水着と同じで使い勝手がよく、水流抵抗が適度に高く、かつ水泳姿勢を崩さない水着を提供する。
【課題を解決するための手段】
【０００６】
本発明の第１の水着は、保水性生地部分と通常生地部分を含む水着であって、前記保水性生地は凹凸を有し、前記保水性生地部分は少なくとも臀部を覆う位置に配置され、前記通常生地部分はその他の部分に配置されていることを特徴とする。
【０００７】
本発明の第２の水着は、保水性生地部分と通常生地部分を含む水着であって、前記保水性生地は凹凸を有し、前記保水性生地部分は少なくとも着用者の重心を覆う位置に配置され、前記通常生地部分はその他の部分に配置されていることを特徴とする。
【発明の効果】
【０００８】
本発明の第１の水着は、保水性生地は凹凸を有し、保水性生地部分は少なくとも臀部を覆う位置に配置され、通常生地部分はその他の部分に配置されていることにより、デザイン的には通常の水着と同じで使い勝手がよく、水流抵抗が適度に高く、かつ水泳姿勢を崩さない水着を提供できる。泳いでいるときは背中から尻にかけて凸となり、凸部に水が当たって抵抗となる。また臀溝部分は渦抵抗を生じやすい。そこで、保水性が高くて高抵抗な生地を身体重心周りの少なくとも臀部を覆う位置に配置したことにより、デザイン的には通常の水着と同じで使い勝手がよく、水流抵抗が適度に高く、かつ水泳姿勢を崩さない水着となる。
【０００９】
本発明の第２の水着は、前記保水性生地部分を少なくとも着用者の重心を覆う位置に配置したことにより、デザイン的には通常の水着と同じで使い勝手がよく、水流抵抗が適度に高く、かつ水泳姿勢を崩さない水着を提供できる。すなわち、保水性が高くて高抵抗な生地を身体の重心を覆う位置に配置したことにより、水流抵抗が適度に高く、かつ水泳姿勢を崩さない水着となる。
【図面の簡単な説明】
【００１０】
【図１】図１は本発明の第１の水着の一実施形態の女性用水着の模式的正面図である。
【図２】図２は同、女性用水着の模式的裏面図である。
【図３】図３Ａは本発明の第２の水着の一実施形態のパンツ型水着の模式的正面図、図３Ｂは同水着の模式的裏面図である。
【図４】図４Ａは本発明の第１の水着の一実施形態のパンツ型水着の模式的正面図、図３Ｂは同水着の模式的裏面図である。
【図５】図５は本発明の一実施形態の保水性生地の模式的正面図である。
【図６】図６は同生地の断面図である。
【図７】図７Ａは本発明の一実施形態における水中の摩擦抵抗を測定するために使用する円筒状基体の側面図、図７Ｂは同Ｉ−Ｉ線の断面図である。
【図８】図８は同、水中で円筒状基体が落下する時間を測定する装置を示す説明図である。
【図９】図９は同、水中の所定距離を円筒状基体が落下する時間を測定する方法及び装置を示す説明図である。
【図１０】図１０Ａは同、円筒状基体を展開したときの斜視図、図１０Ｂは同平面図である。
【図１１】図１１は本発明の一実施例で使用する生地の保水性の測定方法を示す説明図である。
【図１２】図１２は本発明における重心の位置を示す説明図である。
【発明を実施するための形態】
【００１１】
本発明の第１の水着は、保水性生地部分と通常生地部分を含む。保水性生地は凹凸を有し、前記保水性生地部分は少なくとも臀部を覆う位置に配置する。保水性生地は凹凸を有すると、保水性が高くなるとともに、乱流を発生させ水流抵抗を高くできる。通常生地は通常の水着に使用されている編物又は織物生地を使用し、前記通常生地部分は保水性生地以外の部分に配置されている。これにより、デザイン的には通常の水着と同じで使い勝手がよく、水流抵抗が適度に高く、かつ水泳姿勢を崩さない水着となる。
【００１２】
本発明の第２の水着は、保水性生地部分は少なくとも着用者の重心を覆う位置に配置する点が第１の水着と相違するが、他は同じである。ここで重心位置とは、立位においてへそから５ｃｍ下のあたりの丹田を含む水平面の体内中心あたりである。また、着用者の重心を覆う位置とは、着用者の身丈方向において、身長をＬとしたとき、地面からの高さが０．５Ｌから０．６Ｌの範囲をいう（図１２）。図１２に示す人体骨格５０において、５１は頭蓋骨、５２は外果前方、５３は肩峰、５４は重心、５５は丹田、５６は大転子である。保水性生地部分の身幅方向は大転子以外を覆う位置が好ましい。
【００１３】
前記保水性生地は、二重編物又は二重織物であり、接結（ステッチ）がある部分がとない部分があり、前記接結（ステッチ）がある部分が凹部であり、前記接結（ステッチ）がない部分が凸部であるのが好ましい。すなわち、接結（ステッチ）がある部分は表地と裏地が一体となるため凹部となる。一方、接結（ステッチ）がない部分は表生地と裏生地がフリーとなるため凸部となる。二重編物は両面編物ともいい、ダブルニット、ダブルトリコット、ダブルラッシェル等がある。二重織物は経緯二重織物がある。
【００１４】
前記保水性生地の凹凸形状は規則的に配置されているのが好ましい。一例として凹形状、凸形状ともに５〜１５ｍｍ程度の矩形とするのが好ましい。その他凹凸形状は様々な形状を採用できる。
【００１５】
前記水着は、１着当たりの保水後質量が３００〜１，０００ｇが好ましく、さらに好ましくは４００〜９００ｇである。保水後質量が前記の範囲であると、さらに、水流抵抗が適度に高く、かつ水泳姿勢を崩さない水着となる。保水性生地は、単位面積当たりの保水後質量が１５００〜４０００ｇ／ｍ2が好ましく、さらに好ましくは２５００〜３０００ｇ／ｍ2である。通常生地は、単位面積当たりの保水後質量が５００〜９００ｇ／ｍ2が好ましく、さらに好ましくは６８０〜７５０ｇ／ｍ2である。保水性生地と通常生地の保水後質量が前記の範囲であると、幅広いデザインを選択できる。
【００１６】
本発明において保水性生地及び通常生地は、織物でも編物でもよい。一例として、合成繊維マルチフィラメント糸とスパンデックス繊維の交編によるタテ、ヨコ両方向にストレッチ性を有する編物がある。前記保水性生地及び通常生地の乾燥時における単位面積当たりの質量（目付）は１００〜３００ｇ／ｍ2が好ましく、さらに好ましくは１３０〜２７０ｇ／ｍ2である。また、通常生地の編物形態としては、丸編地であるシングル丸編地、ダブル丸編地、経編地である、トリコット地、ラッセル地のいずれも用いることができるが、動きやすさに影響するストレッチ性、生地薄さ等の観点からトリコット地がより好ましい。通常生地は、より強いサポート力が求められる場合は、素材形態としてはスパンデックス繊維を合成繊維マルチフィラメント糸でカバーリングした複合糸を経糸、緯糸に使用した織物がより好ましい。
【００１７】
本発明の保水性生地及び通常生地に使用するスパンデックス繊維の繊度は、２２ｄｅｃｉｔｅｘ以上１５６ｄｅｃｉｔｅｘ以下が好ましい。また使用するスパンデックス繊維は公知のものでよく、例えば旭化成繊維株式会社の"ロイカ"や東レ・オペロンテックス株式会社の"ライクラ"等を使用できる。スパンデックス繊維の種類により、応力が異なることから、適宜使用領域により選択することが好ましい。ただし水着の場合は、プールでの使用が前提となるため、好ましくは"ロイカＳＰ"や"ライクラ１７６Ｂ"、"ライクラ２５４Ｂ"、"ライクラ９０９Ｂ"等耐塩素性に優れたスパンデックス繊維を用いることが好ましい。
【００１８】
合成繊維マルチフィラメント糸にはポリアミド系繊維や、ポリエステル系繊維等が強度や加工性の面から好ましい。合成繊維の繊維形態および断面形状は特に制限はないが、高いストレッチ性生地とするためには、周知の手法により仮より加工を施し、捲縮を付与しておくことが好ましく、表面平滑な生地とするためには、ストレートな生糸を使用することが好ましい。
【００１９】
前記ストレッチ生地は、タテ及びヨコ方向共にＪＩＳ  Ｌ１０９６  Ａ法  カットストリップ法（１７．７Ｎ（１．８ｋｇ）荷重、５ｃｍ幅）で測定した伸長率が３０〜２５０％であることが好ましく、さらに好ましくは６０〜１８０％である。ストレッチ性が前記の範囲であれば、適度な伸縮性があり、着用し易く、水着を含むスポーツ衣料にとって好適である。前記ストレッチ生地は水着の一部に使用しても良いし、全部に使用することもできる。
【００２０】
前記通常生地は、織物の場合は平織物、綾織物等が好ましく、編物はニット、トリコット、ラッシェル等が好ましい。通常生地には撥水処理したものも含む。
【００２１】
競泳水着は人体より約１０％から４０％小さいパターンで作製するのが好ましい。このように作成すると人体にぴったり着用できる。
【００２２】
以下図面を用いて説明する。以下の図面において、同一符号は同一物を示す。図１は本発明の第１の水着の一実施形態の女性用水着の模式的正面図、図２は同、女性用水着の模式的裏面図である。この水着１は臀部からウエスト部及び鼠蹊部までを覆う保水性生地部分２と、その他の部分を覆う通常生地部分３と肩紐部で構成されている。背中の丸い部分は生地のない部分４である。
【００２３】
図３Ａは本発明の第２の水着の一実施形態のパンツ型水着の模式的正面図、図３Ｂは同水着の模式的裏面図である。このパンツ型水着５は、臀部から腰部分を覆う保水性生地部分６ｄ、重心部分を覆う保水性生地部分６ａ〜６ｃ、及び両サイド部分の通常生地部分７ａ，７ｂと腰のゴム及び紐（図示省略）で構成されている。
【００２４】
図４Ａは本発明の第１の水着の一実施形態のパンツ型水着の模式的正面図、図３Ｂは同水着の模式的裏面図である。このパンツ型水着８は、臀部から腰部分を覆う保水性生地部分１０、及び前部分を覆う通常生地部分９ａ〜９ｃ、及び両サイド部分の通常生地部分７ａ，７ｂと腰のゴム及び紐（図示省略）で構成されている。
【００２５】
図５は本発明の一実施形態の保水性生地の模式的正面図、図６は同生地の断面図である。この保水性生地１１は、凸部１２と凹部１３が規則的に配置されている。図６に示すとおり、凹部１３においては表地１４と裏地１５が接結糸（ステッチ糸）１７によって接結され一体化されており、凸部１２においては、前記接結糸（ステッチ糸）は接結せずフリー糸１６になっているため、表地１４と裏地１５は一体化されずフリーとなり、表地１４は凸部となっている。全体として表地１４と裏地１５の二重構造になっている。
【実施例】
【００２６】
以下実施例により本発明を具体的に説明する。なお本発明は下記の実施例に限定されるものではない。
【００２７】
＜保水性＞
図１１に示す保水性測定装置２０を用いて測定した。タテ１０ｃｍ、ヨコ１０ｃｍ、面積１００ｃｍ2の生地２３を弛み、折り目がないように冶具２２で広げてばねばかり２１に吊り下げ、容器２４の中に入れた２０℃ないし２４℃の水２５につけ、ゆっくりと持ち上げて水が滴らなくなるまで待ち、重量を測定する。
＜伸長率＞
ＪＩＳ  Ｌ１０９６  Ａ法  カットストリップ法に従って測定した。試験片の幅５ｃｍ、つかみ間隔２０ｃｍとした。初荷重は試験片の幅で１ｍの長さにかかる重力に相当する荷重とした。引張速度２０ｃｍ／ｍｉｎとした。１７．７Ｎ（１．８ｋｇ）荷重時の伸長率（％）を測定した。伸長率はストレッチ性を示す。
＜着用試験＞
大学生競泳選手男子８名、女子７名により、１日２時間で１５日間のインターバルトレーニングに使用して着用試験をした。着用者には水流抵抗感の有無を評価してもらい、水中姿勢はモニターカメラで観察して評価した。
【００２８】
＜水中の摩擦抵抗＞
図７〜９に示す測定方法及び装置を使用した。図７Ａはこの測定に使用する円筒状基体（モデル）の側面図、図７Ｂは図７ＡのＩ−Ｉ線断面図である。この円筒状基体（モデル）３１の先端３３は球面状であり、後端３４は先細り状である。円筒部３２には水着の生地サンプル３９を取り付ける。取り付けは円筒部３２に生地サンプル３９を巻き付け、円筒状治具３８ａ，３８ｂで押さえ、先端部３３と後端部３４を挿入する。円筒部３２に取り付ける生地サンプル３９の面積は約０．０１９ｍ2である。円筒部３２の下部には、おもり３５を挿入する。また円筒状基体（モデル）３１の軸部には中空部（パイプ）３６を入れておき、ここに図８〜９に示すようにワイヤ３７を挿入する。円筒状基体（モデル）３１の水中における重さは水着生地を取り付けた状態で０．３Ｎ、体積は１．７×１０-4ｍ3とした。全体は樹脂製である。中空部３６は直径２．３ｍｍとした。モデル３１は直径３０ｍｍ，長さ３００ｍｍで、生地を装着する部分が２００ｍｍであった。質量は、装着した生地サンプルを含めて８８ｇになるようにし、生地およびモデルの浮力を考慮し基体の内部に錘を装着して、水中での重さが０．３Ｎとなるよう統一した。
【００２９】
図８は水中で円筒状基体が落下する時間を測定する装置４０を示す説明図である。アクリル樹脂製等の透明な水槽４１に水４２を入れておく。水槽４１の裏側には遮蔽シート４３を貼り付け、後側にはランプ４４を配置し、前面にはハイスピードカメラ４５を配置する。水槽１１は透明なアクリル樹脂製であり、高さ（Ｈ）１．７ｍ、幅（Ｌ）と奥行きはそれぞれ０．２２ｍとし、ハイスピードカメラ１５は水槽から４．２５ｍ離した位置であって床面からの高さ０．８５ｍに配置した。ハイスピードカメラ１５の撮影速度は１９００ｆｐｓとした。この状態で水槽の上から円筒状基体（モデル）３１を静かに落下させる。円筒状基体（モデル）３１はワイヤ３７に沿って落下する。
【００３０】
図９は同、水中の所定距離を円筒状基体が落下する時間を測定する方法及び装置を示す説明図である。まず円筒状基体（モデル）３１の後端が水面に位置するように配置させ、先端４６から２００ｍｍ下方にレーザ点４７と、その１００ｍｍ下方を第１測定ポイント４８とし、その１００ｍｍ下方に第２測定ポイント４９としておく。レーザ点４７は図８に示す遮蔽シート４３に穴をあけておく。このような状態で円筒状基体（モデル）３１を静かに落下させ、その先端４６がレーザ点４７を通過したときにハイスピードカメラの高速撮影をオンとし、第１測定ポイント４８から第２測定ポイント４９まで落下する時間を測定する。１試料当たり１０回計測してその平均値を用いる。次の計算式（数１）から加速度を求める。
【００３１】
【数１】
2018076624.tif 000003
ｕ1＝ｋ1／ｔ1
ｕ2＝ｋ2／ｔ2
Δｔ＝ｔ2
（但し、ｋ1は図９のレーザ点４７から第１測定ポイント４８までの落下距離（ｍｍ）、ｔ1は図９のレーザ点４７から第１測定ポイント４８までの通過時間（秒）、ｋ2 は第１測定ポイント４８から第２測定ポイント４９までの落下距離（ｍｍ）、ｔ2は第１測定ポイント４８から第２測定ポイント４９までの通過時間（秒）、本例の場合ｋ1は１００ｍｍ、ｋ2は２００ｍｍとした。）
【００３２】
水中における水着生地の摩擦抵抗係数Ｃfは下記式（数２）（数３）により算出する。摩擦抵抗係数Ｃfの計測精度は０．００１の値まで出すことができる。
【００３３】
【数２】
2018076624.tif 000004
【００３４】
【数３】
2018076624.tif 000005
但し、Ｗは重力でＷ＝ｍｇ（ｍは円筒状基体の質量（ｋｇ），ｇは重力加速度（ｍ／ｓ2））、Ｂは浮力でＢ＝ρwｇＶ（ρwは水の密度（ｋｇ／ｍ3），Ｖは円筒状基体の体積（ｍ3））、Ｄは抵抗でＤ＝Ｃf×（１／２）×ρｕ2Ａ（ρは水の密度，ｕは落下速度，Ａは水着生地の表面積）
【００３５】
図１０Ａは前記円筒状基体を展開したときの斜視図、図１０Ｂは同平面図である。生地サンプルを取り付けるには、円筒部３２に生地を巻き付け、円筒状治具３８ａ，３８ｂで押さえ、先端部３３と後端部３４を挿入する。
【００３６】
（実施例１）
＜編物＞
（１）保水性生地
ポリエステルマルチフィラメント生糸（１７１ｄｅｃｉｔｅｘ、８５ｄｅｃｉｔｅｘ）、とスパンデックス繊維（４４ｄｅｃｉｔｅｘ）を使用し、２２ゲージのダブルニット編機（丸編機）を使用して図５〜図６に示す二重編み組織の編物を編成した。この編物を染色した。この編物は単位面積当たりの質量（目付）３６０ｇ／ｍ2であった。凹凸形状はともにタテ約１０ｍｍ、ヨコ約８ｍｍの長方形であり、静置状態における厚さは凹部が約１ｍｍ、凸部が約３ｍｍであった。この編物は凹凸形状の長方形の長辺が人体の身長方向になるように水着に配置する。このように方向性をそろえてこの編物を図７〜９の測定装置で測定した摩擦抵抗値は、０．０９０であった。また、この編物の伸長率はタテ方向（体長方向）７５％，ヨコ方向５５％であった。
（２）通常生地
ポリエステルマルチフィラメント加工糸（３３ｄｅｃｉｔｅｘ、５６ｄｅｃｉｔｅｘ）を使用し、３２ゲージのトリコット編機を使用してハーフトリコット組織の編物を編成した。この編物を染色した。撥水処理はしていない。この編物は単位面積当たりの質量（目付）２００ｇ／ｍ2であった。この編物を図７〜９の測定装置で測定した摩擦抵抗値は０．０８４であった。この編物の伸長率はタテ方向（体長方向）４３％，ヨコ方向１３６％であった。
＜水着＞
得られた編物を用いて図１〜２に示す競泳者練習用水着を縫製した。この水着の乾燥時質量は１２５ｇ、保水後の質量は６５０ｇであった。結果は表１にまとめて示す。
【００３７】
（比較例１）
保水性生地を使わず、保水性生地の部分も通常生地とした以外は実施例１と同様に水着を縫製した。この水着の乾燥時質量は９４ｇ、保水後の質量は３２０ｇであった。結果は表１にまとめて示す。
【００３８】
（比較例２）
通常生地を使わず、通常生地の部分も保水性生地とした以外は実施例１と同様に水着を縫製した。この水着の乾燥時質量は１５５ｇ、保水後の質量は１１８０ｇであった。結果は表１にまとめて示す。
【００３９】
（実施例２）
実施例１の保水性生地と通常生地を使用し、図３Ａ−Ｂに示す水着を縫製した。この水着の乾燥時質量は１００ｇ、保水後の質量は７５６ｇであった。結果は表１にまとめて示す。
【００４０】
（比較例３）
保水性生地を使わず、保水性生地の部分も通常生地とした以外は実施例２と同様に水着を縫製した。この水着の乾燥時質量は５６ｇ、保水後の質量は１９０ｇであった。結果は表１にまとめて示す。
【００４１】
【表１】
2018076624.tif 000006
【００４２】
実施例１〜２、及び表１から明らかなとおり、本発明の水着はデザイン的には通常の水着と同じで使い勝手がよく、水流抵抗が適度に高く、かつ水泳姿勢を崩さない水着であることが確認でき、競泳選手の練習用に適した水着であることが確認できた。
【符号の説明】
【００４３】
１，５，８  水着
２，６ａ−６ｄ，１０  保水性生地部分
３，７ａ−７ｂ，９ａ−９ｃ  通常生地部分
４  生地のない部分
１１  保水性生地
１２  凸部
１３  凹部
１４  表地
１５  裏地
１６  フリー糸
１７  接結糸（ステッチ糸）
２０  保水性測定装置
２１  ばねばかり
２２  冶具
２３  生地
２４  容器
２５  水
３１  円筒状基体（モデル）
３２  水着生地
３３，４６  モデルの先端
３４  モデルの後端
４０  摩擦抵抗測定装置
４１  水槽
４２  水
４３  遮蔽シート
４４  ランプ
４５  ハイスピードカメラ
４７  レーザ点
４８  第１測定ポイント
４９  第２測定ポイント
５０  人体骨格
５１  頭蓋骨
５２  外果前方
５３  肩峰
５４  重心
５５  丹田
５６  大転子
【図１】
2018076624.tif 000007
【図２】
2018076624.tif 000008
【図３】
2018076624.tif 000009
【図４】
2018076624.tif 000010
【図５】
2018076624.tif 000011
【図６】
2018076624.tif 000012
【図７】
2018076624.tif 000013
【図８】
2018076624.tif 000014
【図９】
2018076624.tif 000015
【図１０】
2018076624.tif 000016
【図１１】
2018076624.tif 000017
【図１２】
2018076624.tif 000018